(57)【特許請求の範囲】
【請求項１】
集魚のために複数の集魚灯が船舶に設置された集魚装置であって、
前記船舶の船首及び船尾にそれぞれ設置された支持台の間に装着され、４５０〜４７０ｎｍ波長の青色ＬＥＤチップに、発光波長が５７０〜５９０ｎｍの黄色蛍光体を塗布して相関色温度が５，０００°Ｋ〜１５，０００°Ｋの白色光を出射する発光ダイオードモジュールが装着された第１集魚灯と、
前記船舶の船首及び船尾にそれぞれ設置された支持台の間に装着され、４５０〜４７０ｎｍ波長の青色ＬＥＤチップに、発光波長が４８０ｎｍ〜５５０ｎｍの緑色蛍光体を塗布して青緑色光を出射する発光ダイオードモジュールが装着された第２集魚灯と、を含み、
前記第１集魚灯と前記第２集魚灯は、設置される高さに応じて光出射角度が異なるように調整されることを特徴とする集魚装置。
【請求項２】
前記第２集魚灯は、
出射される青緑色光の４５０〜４７０ｎｍ波長の青色光及び４８０ｎｍ〜５５０ｎｍ波長の緑色光の相対強度の比が１．０：０．３〜０．３：１．０になることを特徴とする請求項１に記載の集魚装置。
【請求項３】
前記第２集魚灯は、
前記第１集魚灯よりも上側に設置されることを特徴とする請求項１に記載の集魚装置。
【請求項４】
前記第１集魚灯は、出射される光の放射角のうちの一側の境界線と、前記船舶に設置された支持台の下方の水面に垂直な基準線との間の角が５０〜６０°になるように設置し、
前記第２集魚灯は、出射される光の放射角のうちの一側の境界線と、水面に平行な基準線との間の角が１０〜２５°になるように設置することを特徴とする請求項１に記載の集魚装置。
【発明の詳細な説明】
【技術分野】
【０００１】
本発明は集魚装置に関する。
【背景技術】
【０００２】
通常、イカ、太刀魚、サバなどを効果的に漁獲するために対象魚種を誘集する集魚灯が広く用いられている。
【０００３】
現在、イカ釣り漁業をする漁船の集魚灯を点灯する発電機にかかる費用は、操業にかかる全体費用の６０％以上を占めており、集魚灯の交換経費などを含めば全体操業経費の４０％以上を占めるほど、大きい負担になっている。また、近年、原油高により漁業経営に多大な支障をきたしている。
【０００４】
イカの集魚灯としてはメタルハライドランプを大部分使っている。しかしながら、メタルハライドランプは、通常、消費電力がｌＫＷ〜３ＫＷ程度の非常に大きい電力が必要であるため電力消耗が高く、発光時のガラス表面の温度が非常に高くて火災または火傷などの虞があり、寿命が約３，０００時間程度で短いという短所がある。また、メタルハライドランプは、約４〜５ヶ月使用すると、集魚性能が低減して交換しなければならず、重さが重くて体積が大きい安定器が必要であるため、照明に必要な付加設備が増加し、このような付加設備の空間占有により、魚を保存する魚倉の容積が減少するという問題点もある。
【０００５】
さらに、メタルハライドランプの光はガラス球を通して全方向に放射されるため、集魚に必要な照射範囲以外にも空と甲板も照らし、全光量の６０〜７０％以上が無駄に消耗される。また、メタルハライドランプから出射される光は赤外線領域から一部の紫外線領域の光まで発生するため、集魚対象魚類、例えばイカの集魚に有効な波長帯域の光以外の光も出射することになり、全般的な集魚のための光の利用が非効率的であった。
【０００６】
一方、波長が４５０ｎｍ〜５５０ｎｍ範囲の青色と緑色系波長の光は、イカの集魚に効果的であり、海水への浸透深さが他の波長に比べて長いため、青色波長の光を出射する集魚灯を設ける試みがあるが、白色光の照明に比して作業者の疲労度を増加させ、操業効率を低下させる問題点がある。
【発明の概要】
【発明が解決しようとする課題】
【０００７】
本発明の目的は、上述した問題点を解決するために、発光ダイオードを用いて集魚対象魚類の集魚効率及び作業者の作業効率を高める集魚装置を提供することにある。
【０００８】
本発明の他の目的は、所定の光出射角度に応じて相異なる波長の光を出射する発光ダイオードを用いて魚類の集魚を行うようにする集魚装置を提供することにある。
【０００９】
本発明のまた他の目的は、漁船に近づいた近距離の光出射角度として白色の光を出射し、遠距離の光出射角度として青色と緑色の波長が混合された光を出射するようにする集魚装置を提供することにある。
【課題を解決するための手段】
【００１０】
このような目的を達成するための本発明による集魚装置は、集魚のために複数の集魚灯が船舶に設置された集魚装置であって、船舶の船首及び船尾にそれぞれ設置された支持台の間に装着され、４５０〜４７０ｎｍ波長の青色ＬＥＤチップに、発光波長が５７０〜５９０ｎｍの黄色蛍光体を塗布して相関色温度が５，０００°Ｋ〜１５，０００°Ｋの白色光を出射する発光ダイオードモジュールが装着された第１集魚灯と、船舶の船首及び船尾にそれぞれ設置された支持台の間に装着され、４５０〜４７０ｎｍ波長の青色ＬＥＤチップに、発光波長が４８０ｎｍ〜５５０ｎｍの緑色蛍光体を塗布して青緑色光を出射する発光ダイオードモジュールが装着された第２集魚灯と、を含むことができ、第１集魚灯と第２集魚灯は、設置される高さに応じて光出射角度が異なるように調整される。
【００１１】
また、本発明の実施例による第２集魚灯は、出射される青緑色光の４５０〜４７０ｎｍ波長の青色光及び４８０ｎｍ〜５５０ｎｍ波長の緑色光の相対強度の比が１．０：０．３〜０．３：１．０になるように構成することができる。
【００１２】
また、本発明の実施例による第２集魚灯は、第１集魚灯よりも上側に設置される。
【００１３】
また、本発明の実施例による第１集魚灯は、出射される光の放射角のうちの一側の境界線と、船舶に設置された支持台の下方の水面に垂直な基準線との間の角が５０〜６０°になるように設置し、第２集魚灯は、出射される光の放射角のうちの一側の境界線と、水面に平行な基準線との間の角が１０〜２５°になるように設置される。
【発明の効果】
【００１４】
本発明による集魚装置は、発光ダイオードを用いて魚類の集魚を行う時、漁船に近づいた近距離の光出射角度として白色の光を出射し、遠距離の光出射角度として青色と緑色の波長が混合された光を出射するなど、出射光の波長及び光出射角度を制限することにより、集魚対象魚類の集魚効率を高める効果がある。
【００１５】
また、青色光だけを用いた従来の集魚灯とは異なり、漁船に近づいた距離では白色光を用いて甲板の一部と漁船に近い作業空間には白色光が照射されるため、漁船で作業する作業者に安らかな照明環境を提供でき、作業効率を向上させる効果がある。
【図面の簡単な説明】
【００１６】
【図１】本発明による集魚装置が装着された船舶の状態を説明するための図面である。
【図２】図１の集魚灯の構造を分離して示す分離斜視図である。
【図３】図２の集魚灯の側面図である。
【図４】図１のサポートバーに支持された集魚灯の一部を拡大して示す図面である。
【図５】図４の側面図である。
【図６】図１の集魚灯の好ましい設置角度を説明するための図面である。
【図７】図１の第１集魚灯に適用される相関色温度１５，０００°Ｋの白色光スペクトルを示す図面である。
【図８】図１の第２集魚灯に適用される青色光及び緑色光の各比率別スペクトルを示す図面である。
【図９】図１の第２集魚灯に適用される青色光及び緑色光の各比率別スペクトルを示す図面である。
【図１０】図１の第２集魚灯に適用される青色光及び緑色光の各比率別スペクトルを示す図面である。
【図１１】本発明による集魚装置の駆動のための制御回路の一例を示す図面である。
【発明を実施するための形態】
【００１７】
以下、図面を参照して本発明の集魚装置を詳細に説明する。
【００１８】
図１は本発明による集魚装置が装着された船舶の状態を説明するための図面であり、図２は図１の集魚灯の構造を分離して示す分離斜視図であり、図３は図２の集魚灯の側面図である。
【００１９】
図面に示すように本発明の集魚装置１０は、支持台１２、第１及び第２支持線２１，２２、サポートバー３０、第１集魚灯１００ａ、及び第２集魚灯１００ｂを含む。
【００２０】
支持台１２は、船舶５０の船首及び船尾にそれぞれ互いに離れて設置されている。
【００２１】
第１及び第２支持線２１，２２は、支持台１２の間に連結され、第１支持線２１よりも第２支持線２２が高い位置に連結されている。
【００２２】
この時、第１及び第２支持線２１，２２は、第１及び第２集魚灯１００ａ，１００ｂを支持できるように、鉄線を用いることが最も好ましく、それ以外に支持が可能な材質であれば、何れも良い。
【００２３】
サポートバー３０は、第１及び第２支持線２１，２２の垂直方向に、第１及び第２支持線２１，２２の間に連結されている。
【００２４】
第１集魚灯１００ａは、サポートバー３０の間に水平方向に列をなして複数装着されており、第２集魚灯１００ｂは、第１集魚灯１００ａよりも高い位置で水平方向に列をなしてサポートバー３０の間に複数装着されている。この時、第１及び第２集魚灯１００ａ，１００ｂは、支持台１２に設置される高さに応じて光出射角度が異なるように設置されることが好ましい。
【００２５】
第１集魚灯１００ａは、支持台１２を基準として下部に設置され、４５０〜４７０ｎｍ波長の青色ＬＥＤチップに、発光波長が５７０〜５９０ｎｍの黄色蛍光体を塗布して相関色温度（Ｃｏｒｒｅｌａｔｅｄ  Ｃｏｌｏｒ  Ｔｅｍｐｅｒａｔｕｒｅ）が５，０００°Ｋ〜１５，０００°Ｋの白色光を出射する発光ダイオードモジュール１３０が装着される。
【００２６】
第２集魚灯１００ｂは、第１集魚灯１００ａよりも上側に設置され、４５０〜４７０ｎｍ波長の青色ＬＥＤチップに、発光波長が４８０ｎｍ〜５５０ｎｍの緑色蛍光体を塗布して青緑色（ｂｌｕｉｓｈ  ｇｒｅｅｎ）光を出射する発光ダイオードモジュール１３０が装着される。
【００２７】
この時、青緑色光を出射する第２集魚灯１００ｂの発光ダイオードモジュール１３０は、青色光及び緑色光の混合比率を使用環境により次の３つの形態に決めて使用する。すなわち、青色光と緑色光のスペクトルの分布を、出射される青緑色光の青色光及び緑色光の相対強度（ｒｅｌａｔｉｖｅ  ｉｎｔｅｎｓｉｔｙ）の比が１．０：０．５、１．０：１．０、０．５：１．０のうち何れか１つになるように構成する（図８から図１０参照）。
【００２８】
ここで、本発明の実施例では、実験のために青色光及び緑色光の相対強度の比が上述したように１．０：０．５、１．０：１．０、０．５：１．０のうち、何れか１つであることを例として説明したが、これに限定されることはなく、青色光及び緑色光の相対強度の比が１．０：０．３〜０．３：１．０になるように構成することが最も好ましい。
【００２９】
第１及び第２集魚灯１００ａ，１００ｂに適用される発光ダイオードモジュール１３０は、それぞれ相関色温度または色は除外し、残り構造は同じく適用されることが好ましく、その詳細構造は図２を参照して説明する。
【００３０】
第１及び第２集魚灯１００ａ，１００ｂは、本体１１０、発光ダイオードモジュール１３０、及びキャップ１５０を備える。
【００３１】
本体１１０は矩形の筒状の構造であり、ボディ１１１、放熱片１１６、及びリブ１１８を有する構造である。
【００３２】
本体１１０のボディ１１１は、上部を開放した四角形の開口を有し、下方に行くほど幅が狭くなるテーパ状の収容溝１１２を有する。また、本体１１０から出射される光の放射角は６０〜７０°の範囲に設定される。
【００３３】
本体１１０のボディ１１１の上部には、キャップ１５０を装着するための載置溝１１７が形成される。載置溝１１７は、キャップ１５０が装着された状態で本体１１０の上面よりも低く装着されるように、本体１１０内の下方に後退して形成される。
【００３４】
ボディ１１１の収容溝１１２を形成する部分であって、ボディ１１１の長手方向に沿って互いに対向する内壁１１３は、その相互間の角度（ａ）が６０〜７０°であることが好ましい。
【００３５】
放熱片１１６はボディ１１１の長手方向に直交する方向に沿って一側面から底面及び他側面まで延長するようにボディ１１１から突出形成される。このような放熱片１１６は、ボディ１１１の長手方向に沿って互いに離れて複数形成される。
【００３６】
リブ１１８は、ボディ１１１の上面の周縁に沿って水平方向に外側に拡張形成される。リブ１１８には、放熱片１１６と放熱片１１６との間の領域に該当する位置に、対流の促進のために上下に貫通する複数の通気孔１１９が長手方向に沿って互いに離れて形成される。
【００３７】
本体１１０は、海上での腐食を防止するためにペンキで塗装した金属素材を適用するが、金属素材は、放熱効率の高いアルミニウムを適用することが好ましい。
【００３８】
発光ダイオードモジュール１３０は、本体１１０の収容溝１１２の底面に装着され、収容溝１１２の開口に向かって光を出射するように、回路基板１３１に複数の発光ダイオード１３５が装着される。
【００３９】
回路基板１３１は、放熱性の良いＭＣＰＣＢ（Ｍｅｔａｌ  Ｃｏｒｅｄ  Ｐｒｉｎｔｅｄ  Ｃｉｒｃｕｉｔ  Ｂｏａｒｄ）を適用することが好ましい。
【００４０】
発光ダイオード１３５は、上述したように、第１集魚灯１００ａは４５０〜４７０ｎｍ波長の青色ＬＥＤチップに、発光波長が５７０〜５９０ｎｍの黄色蛍光体を塗布して相関色温度が５，０００°Ｋ〜１５，０００°Ｋの白色光を出射することが適用され、第２集魚灯１００ｂは、４５０〜４７０ｎｍ波長の青色ＬＥＤチップに、発光波長が４８０ｎｍ〜５５０ｎｍの緑色蛍光体を塗布して青緑色光を出射するが、青色光と緑色光の相対強度の比が１．０：０．５、１．０：１．０、０．５：１．０のうち、何れか１つになるように構成したことが適用される。
【００４１】
キャップ１５０は、本体１１０の収容溝１１２の開口を閉鎖するように本体１１０に結合され、透明素材で形成することが好ましい。参照符号「１５４」はキャップ１５０と本体１１０の載置溝１１７との間に挿入されるシーリング用パッドである。
【００４２】
キャップ１５０が曲率を有するレンズの形態である場合、本体１１０から出射される光の放射角が６０〜７０°になるように、ボディ１１１の収容溝の構造及びキャップ１５０の曲率を適切に適用すれば良い。
【００４３】
このような構造の第１及び第２集魚灯１００ａ，１００ｂは、発光ダイオード１３５から発生する熱が回路基板１３１及び本体１１０を通して放熱されて高出力化が可能となり、出射光の波長が集魚に効率的で、かつ光出射角度が６０〜７０°に制限されることにより、光を効率的に利用できるという長所がある。
【００４４】
次に、図１から図３に示した第１及び第２集魚灯１００ａ，１００ｂがサポートバー３０に支持された状態と好ましい設置角度に対して図４から図６を参照して説明する。
【００４５】
図４は図１のサポートバーに支持された集魚灯の一部を拡大して示す図面であり、図５は図４の側面図であり、図６は図１の集魚灯の好ましい設置角度を説明するための図面である。
【００４６】
図面に示すように、第１及び第２集魚灯１００ａ，１００ｂは、サポートバー３０の間にボルト３４０などの固定部材を用いて固定することができる。サポートバー３０は、第１及び第２集魚灯１００ａ，１００ｂを固定し、第１及び第２支持線２１，２２との結合方向をそれぞれ合わせるために長手方向に捻って折曲げた部分を有する構造である。
【００４７】
サポートバー３０の上端には第２支持線２２を囲むように折曲げて下部は開放されたクリップ３３が形成される。クリップ３３には、ボルト３４０の挿入のために、対向する部分に結合孔が形成される。また、サポートバー３０の下端には、第１支持線２１の一部を取り囲んで支持するように半円状の収容溝が形成されたブラケット１２２に、ボルト３４０などの固定部材により結合するように結合孔が形成される。
【００４８】
このように装着された第１及び第２集魚灯１００ａ，１００ｂは、船舶５０から出射される光の出射方向が互いに異なるように装着される。
【００４９】
すなわち、第１集魚灯１００ａは、船舶５０から数ｍ〜数十ｍの近い領域下の深層、例えば、水深１００ｍ〜２００ｍに位置する集魚対象魚類を上層に誘導して集魚するか、または第２集魚灯１００ｂにより誘導された魚類を集魚するために、図６に示すように、第１集魚灯１００ａから出射される光の放射角（Ｐ１）のうちの一側の境界線（Ｌ１）と、支持台１２の下方の水面（Ｓ０）に垂直な基準線（Ｓ１）との間の角（Ｐ１ａ）が約５０〜６０°になるように設置される。
【００５０】
また、第２集魚灯１００ｂは、船舶５０から遠い、例えば、数十ｍ〜数百ｍの表層水面から数十ｍの深さに位置する集魚対象魚類を船舶５０の近くに誘導するために、図６に示すように、第２集魚灯１００ｂから出射される光の放射角（Ｐ２）のうちの一側の境界線（Ｌ２）と、水面（Ｓ０）に並んだ基準線（Ｓ２）との間のの角（Ｐ２ａ）が約１０〜２５°になるように設置される。この時、第２集魚灯１００ｂから出射される光の放射角（Ｐ２）のうち、他側の境界線（Ｌ３）は水面（Ｓ０）に並んだ基準線（Ｓ２）から３０〜４０°になるため、第１集魚灯１００ａから出射される光の放射角（Ｐ１）のうちの一側の境界線（Ｌ１）と水面（Ｓ０）上で一定の部分が重なる。
【００５１】
ここで、第２集魚灯１００ｂから出射される光において、水面（Ｓ０）に並んだ方向に対して１０〜２５°程度上向いて光を出射するように設置する理由は、波により船舶５０が左右に傾いて動揺することを考慮したもので、船舶５０が傾いた場合、船舶５０の近くだけに光が照射されることにより、遠距離にある魚類の集魚効率が低下することを防止するからである。したがって、船舶５０が傾いた場合も、水面（Ｓ０）に並んだ基準線（Ｓ２）に向かう光が存在することにより、遠距離に位置する魚類の集魚を持続的に誘導することができる。
【００５２】
このような第１及び第２集魚灯１００ａ，１００ｂの配列構造において、第１集魚灯１００ａから出射される相関色温度５，０００°Ｋ〜１５，０００°Ｋの白色光には、海水における光吸収率が低い青色波長の成分が相対的に多いため、船舶の近くでは水面から深いところまで浸透できるという長所がある。
【００５３】
本発明の実施例として４５０〜４７０ｎｍ波長の青色ＬＥＤチップに、白色光を出射できる発光波長５７０〜５９０ｎｍの黄色蛍光体を塗布して１５．０００°Ｋの相関色温度を有するように製作された発光ダイオードに対する出射光のスペクトルを分析した結果が図７に示されている。図７に示すように、６０％以上の光が、イカの集魚に効率的な青色から緑色系の範囲波長、すなわち４５０ｎｍ〜４７０ｎｍ帯域及び４８０〜５５０ｎｍ帯域に分布する。
【００５４】
また、図８から図１０に示すように、第２集魚灯１００ｂにおいて、青色光と緑色光の相対強度の比が１．０：０．５、１．０：１．０、０．５：１．０のうち何れか１つで出射される青緑色光は、海霧や空気中の光吸収率が低い長波長成分が相対的に多いため、遠距離への伝達効率を向上させることにより、船舶５０の近くの深層及び遠距離の表層の魚類に対する集魚効率を向上させることができる。
【００５５】
一方、図に示さなかったが、第１及び第２集魚灯１００ａ，１００ｂを水平上に列をなして配列し、上述したように、光軸を互いに異なるように配列してもよく、支持線を中央に一列に配列し、両方向に向かって集魚灯の方向を変えて交番設置してもよい。
【００５６】
図１１は、本発明による集魚装置の駆動のための制御回路の一例を示す図面である。
【００５７】
本発明の第１及び第２集魚灯１００ａ，１００ｂを駆動するためには、連続的に駆動を行う方式と点滅を繰り返す方式のうち、何れか１つの方式を用いてもよいが、実験結果、連続的に駆動を行う方式よりも点滅を繰り返す方式が集魚にさらに効率的である。
【００５８】
図１１を参照すると、制御部（図示せず）から制御信号入力端子１６１を介して駆動信号が入力され、この駆動信号により駆動部１６３でスイッチング素子のＦＥＴ１６７のターンオン／ターンオフ駆動を制御する。ＦＥＴ１６７のターンオン／ターンオフ動作により発光ダイオード１３５がオン／オフ駆動する。参照符号「１６５」はバッファである。
【００５９】
制御部は、発光ダイオード１３５のオン／オフ駆動を制御する時、点灯維持時間と消灯維持時間が０．１〜０．３秒になるように制御することが好ましい。
【００６０】
一方、ＬＥＤ光源の波長別のイカの反応特性を調査するために、漁獲したスルメイカを水槽に入れて試験を行った。漁獲されたスルメイカは、水槽に入れて２〜３日経過すると、光に対する反応性が低下するため、魚群行動実験は、実験の前日の夜に漁獲したスルメイカを当日の朝に水槽に入れて馴致させた後、当日の夜、日が沈んだ後から行った。水槽の水温は、実験日に応じて１０〜２３℃の範囲に設定した。また、各実験は５回繰り返し行った。
【００６１】
先ず、最初の実験では、水槽の一側に４５０〜４７０ｎｍ波長の青色ＬＥＤチップに、発光波長が４８０ｎｍ〜５５０ｎｍの緑色蛍光体を塗布して青緑色光を出射するが、図８から図１０に示されたスペクトル分布のように青色光と緑色光の相対強度の比が１．０：０．５、１．０：１．０、０．５：１．０のうち何れか１つになるように構成した青緑色発光ダイオードモジュールをそれぞれ水槽の一側に設置して実験した。
【００６２】
実験結果、ＬＥＤ駆動電圧を２０ボルトにして光の強度を強く出射した場合は、３つの発光ダイオードモジュールに対してイカが初期に誘引されたが、すぐ集魚灯の反対側に回避することを観察し、ＬＥＤ駆動電圧を１８ボルトにして光の強度を弱く出射した場合、イカが初期に誘引され、約５分後に光の反対側に７０％が移動することを観察した。
【００６３】
図８と図９のスペクトル分布を有する青色光と緑色光の相対強度の比が１．０：０．５と１．０：１．０で青緑色光を出射する発光ダイオードモジュールを水槽の両側にそれぞれ設置し、ＬＥＤ駆動電圧を１８ボルトにした場合、初期には１．０：１．０の比率で青緑色光を出射する発光ダイオードモジュール側に６５％移動することを観察した。そして、１０分後、１．０：０．５の比率で青緑色光を出射する発光ダイオードモジュール側に７０％移動したことを観察した。
【００６４】
そして、図９と図１０のスペクトル分布を有する青色光と緑色光の相対強度の比が１．０：１．０と０．５：１．０で青緑色光を出射する発光ダイオードモジュールは、優劣の区別が付かないことを観察した。したがって、図８と図１０のスペクトル分布を有する発光ダイオードモジュールも、図８と図９のスペクトル分布を有する実験とほぼ同様であると推定される。
【００６５】
図８から図１０のスペクトル分布を有する発光ダイオードモジュールの実験結果、イカは５３０ｎｍ程度の波長にさらに刺激的に反応することが確認できた。出射初期に誘引され、後で逃避することがその理由である。
【００６６】
次に、図８から図１０のスペクトル分布を有する青緑色光を出射する発光ダイオードモジュールを水槽の一側に設置し、図７のスペクトル分布を有する４５０〜４７０ｎｍ波長の青色ＬＥＤチップに、発光波長が５７０〜５９０ｎｍの黄色蛍光体を塗布して相関色温度が５，０００°Ｋ〜１５，０００°Ｋの白色光を出射する発光ダイオードモジュールを水槽の反対側に設置して実験を行った。
【００６７】
ＬＥＤ駆動電圧を２０ボルトにして光の強度を強く出射した場合、初期に両側に同じように分割され、後で光を避けて全て中心に集まることを観察し、ＬＥＤ駆動電圧を１８ボルトにして光の強度を弱く出射した場合、初期には青緑色光を出射する発光ダイオードモジュール側に１０％程度移動し、後で白色光を出射する発光ダイオードモジュール側にたくさん集まることを観察した。
【００６８】
そして、水槽の一側に図７のスペクトル分布を有する白色光を出射する発光ダイオードモジュールを設置した場合、前述した青緑色光を出射する発光ダイオードモジュールはＬＥＤ駆動電圧を２０ボルトにして光の強度を強く出射すると、初期は光側に移動し、すぐ反対側に回避し、ＬＥＤ駆動電圧を１８ボルトにして光の強度を弱く出射すると、光側にゆっくり移動し、ゆっくり逃避することではなく、イカが逃避せず、等しく分布することを観察した。
【００６９】
以上の実験結果を総合してみると、イカは何れの波長の光でも一応接近するが、強い刺激を受けると、逃避したり陰を探して動くことを確認し、５００〜５３０ｎｍの波長にさらに刺激的に反応することを観察した。
【００７０】
そして、図７のスペクトル分布を有する白色光がイカに良好な刺激を与えながらも、イカが比較的に逃避しない光であることを確認し、青緑色系列の波長が水中の透過性が良く、魚類がさらに刺激的に反応するため、海の深いところにいる対象物を集魚しやすいということを確認することができた。
【００７１】
したがって、本発明による集魚装置のように水平近距離では図７のスペクトル分布を有する白色光を出射する集魚灯を設置し、垂直遠距離では図８から図１０のスペクトル分布を有する青緑色光を出射する集魚灯を設置することにより、遠距離や深海で集魚した対象物が漁船の近くで逃避することがなく、集魚効率が高いだけでなく、漁船で作業する作業者に対しても安らかな照明環境を提供して作業効率を向上させる。
【００７２】
上述した本発明では、好ましい実施例を参照して説明したが、該当技術分野の熟練した当業者は、下記の特許請求の範囲に記載された本発明の思想及び領域から逸脱しない範囲内で本発明を多様に修正及び変更する可能性があることが理解できる。
【００７３】
【図１】
0005510549.tif 000002
【図２】
0005510549.tif 000003
【図３】
0005510549.tif 000004
【図４】
0005510549.tif 000005
【図５】
0005510549.tif 000006
【図６】
0005510549.tif 000007
【図１１】
0005510549.tif 000008
【図７】
0005510549.tif 000009
【図８】
0005510549.tif 000010
【図９】
0005510549.tif 000011
【図１０】
0005510549.tif 000012